(57)【特許請求の範囲】
【請求項１】
ロープの基端を固定すると共に巻取りロープを収納するロープ収納部と常時巻き取り方向に付勢するぜんまいバネとを有するリールと、
該リールの巻き出し方向への回転を停止させる第１ロック手段と、
張設され且つ該第１ロック手段によりロックされたロープを、張設方向とは異なる方向に迂回状に屈曲させ且つ固定することで、張設されたロープを更に引っ張る第２ロック手段と、を備え、
該第２ロック手段は、張設されたロープに対して直角方向に延びる突起を有する固定側の突起構造体と、該突起構造体の外側に嵌合する可動側の円筒部材とからなり、該突起の両側には、該突起構造体と該円筒部材が嵌合した際、ロープが迂回状に屈曲して通る側方隙間が形成され、該ロープを該突起と該円筒部材間に介在させ、該円筒部材を該突起構造体側に移動させることで、該ロープを略Ｍ字形状又は略Ｗ字形状に屈曲させることを特徴とする物干しロープ収納体。
【請求項２】
該突起は、円柱部材の径方向に貫通する高さＨ１の貫通孔の中心に形成され、円柱部材の頂部側にロープが通る開口を有する高さＨ１より低い高さＨ２のものであり、両側には、該側方隙間である切り欠きを設けたものであることを特徴とする請求項１記載の物干しロープ収納体。
【請求項３】
該円筒部材は、内周面に螺子が形成されたものであることを特徴とする請求項１又は２記載の物干しロープ収納体。
【請求項４】
該円筒部材を該突起構造体側に移動させる手段が、外周面に螺子が形成された螺子部を有する操作部材を更に設け、該操作部材の螺子と該円筒部材の内周面に形成された螺子との螺合により行うことを特徴とする請求項１〜３のいずれか１項に記載の物干しロープ収納体。
【請求項５】
該ロープが引き出されるロープ出口部を有し、該第２ロック手段は、該ロープ出口部と該リール間に設置されることを特徴とする請求項１〜４のいずれか１項に記載の物干しロープ収納体。
【発明の詳細な説明】
【技術分野】
【０００１】
本発明は、風呂場や室内において、両壁面間に掛け渡しで使用される物干しロープを巻き出し、巻き戻して収納すると共に、掛け渡しロープに張力を与えることができる壁面設置用の物干しロープ収納体に関するものである。
【背景技術】
【０００２】
風呂場や室内において、両壁面間に掛け渡しで使用される物干しロープを巻き出し、巻き戻して収納する壁面設置用の物干しロープ収納体としては、種々のものが知られている。
【０００３】
例えば、特開２０００−１４０４８７号公報には、浴室１内の左壁２と右壁３との間に掛け渡す物干ロープにおいて、前記左壁２には所望の高さ位置にロープ収納部７を前記右壁３にはロープ止め具８を夫々固着し、前記ロープ収納部７には、外周にロープ１５の巻取枠２０を、内側に常時巻き取り方向に付勢するぜんまいバネ２２を夫々設けたリール体１１を設け、該リール体１１に回転停止させるブレーキ装置１２を設けた物干ロープが開示されている。
【０００４】
特開２０００−１４０４８７号公報に記載の物干ロープによれば、コマ３３を持ってぜんまいバネ２２の弾力に抗してロープ１５を引き伸ばし、コマ３３の鍔３４をロープ止め具８の係合溝３２に係合させるため、ロープ１５はぜんまいバネ２２の弾力で強く張られる。次いで、操作部２６を仮線の位置から実線の位置に回動させると、係合部２５を歯車２４に係合し、ロープ１５はそのまま固定されるので、重い洗濯物でも吊設できる。すなわち、図８の（Ａ）のように、物干しロープを両壁面間にピンと張った状態において、ブレーキ装置１２を稼働させるため、重い洗濯物でも吊設できるというものである。
【先行技術文献】
【特許文献】
【０００５】
【特許文献１】登録実用新案公報第３０５７９９０号
【発明の概要】
【発明が解決しようとする課題】
【０００６】
しかしながら、従来の物干しロープは、図８の（Ａ）のように、物干しロープ１１を両壁面２００間にピンと張った状態において、ブレーキ装置１２を稼働させ、重い洗濯物を吊設した場合、実際には、図８（Ｂ）のように、物干しロープ１１は大きい弛みではないが、弛んでしまう。従って、ブレーキ装置を作動させた後の物干しロープの緩みを解消できる物干しロープの開発が望まれていた。
【０００７】
従って、本発明の目的は、物干しロープを両壁面間にピンと張った状態において、ブレーキ装置を稼働させ、重い洗濯物を吊設した場合等に生じる僅かな弛みを矯正できる物干しロープ収納体を提供することにある。
【０００８】
かかる実情において、本発明者は鋭意検討を行った結果、従来の物干しロープのブレーキ装置と同様の第１ロック手段を設けると共に、張設され且つ該第１ロック手段によりロックされたロープを、張設方向とは異なる方向に迂回状に屈曲させ且つ固定することで、張設されたロープを更に引っ張る第２ロック手段を設ければ、重い洗濯物を吊設した場合等に生じる僅かな弛みを矯正できることを見出し、本発明を完成するに至った。
【課題を解決するための手段】
【０００９】
すなわち、本発明は、ロープの基端を固定すると共に巻取りロープを収納するロープ収納部と常時巻き取り方向に付勢するぜんまいバネとを有するリールと、該リールの巻き出し方向への回転を停止させる第１ロック手段と、張設され且つ該第１ロック手段によりロックされたロープを、張設方向とは異なる方向に迂回状に屈曲させ且つ固定することで、張設されたロープを更に引っ張る第２ロック手段と、を備え、該第２ロック手段は、張設されたロープに対して直角方向に延びる突起を有する固定側の突起構造体と、該突起構造体の外側に嵌合する可動側の円筒部材とからなり、該突起の両側には、該突起構造体と該円筒部材が嵌合した際、ロープが迂回状に屈曲して通る側方隙間が形成され、該ロープを該突起と該円筒部材間に介在させ、該円筒部材を該突起構造体側に移動させることで、該ロープを略Ｍ字形状又は略Ｗ字形状に屈曲させることを特徴とする物干しロープ収納体を提供するものである。
【発明の効果】
【００１０】
本発明によれば、張設され且つ第１ロック手段によりロックされたロープを、第２ロック手段により、張設方向とは異なる方向に迂回状に屈曲させ且つ固定するため、張設されたロープの概ね迂回状に屈曲させた長さ相当分が、リール側に引っ張られる。このため、張設され重い洗濯物を吊設したロープの僅かな弛みを矯正できる。
【図面の簡単な説明】
【００１１】
【図１】本発明の第１の実施の形態における物干しロープ収納体の斜視図である。
【図２】図１の物干しロープ収納体の一部の分解斜視図である。
【図３】図１の物干しロープ収納体の分解斜視図である。
【図４】図１の物干しロープ収納体のリールのロープ収納部で破断した断面図である。
【図５】図１の物干しロープ収納体の第２ロック手段の内部構造を示す図である。
【図６】図１の物干しロープ収納体の突起構造体の構造を示す図であり、（Ａ）が斜視図であり、（Ｂ）が一部を破断した斜視図である。
【図７】図１の物干しロープ収納体の第２ロック手段の作動状況を説明する図であり、（Ａ）が第２ロック手段アンロックの場合、（Ｂ）が第２ロック手段のロック初期の場合、（Ｃ）が第２ロック手段ロックの場合を示す。
【図８】図１の物干しロープ収納体の使用方法を説明する図であり、（Ａ）は第１ロック手段ロック、第２ロック手段アンロックで重量物の吊設なし、（Ｂ）は第１ロック手段ロック、第２ロック手段アンロックで重量物の吊設あり、（Ｃ）は第１ロック手段ロック、第２ロック手段ロックで重量物の吊設ありである。
【発明を実施するための形態】
【００１２】
物干しロープ収納体１０は、ロープ１１の基端を固定すると共に巻取りロープを収納するロープ収納部４３と常時巻き取り方向に付勢するぜんまいバネ４１とを有するリール４と、リール４の巻き出し方向への回転を停止させる第１ロック手段６と、張設され且つ第１ロック手段６によりロックされたロープ１１を、張設方向とは異なる方向に迂回状に屈曲させ且つ固定することで、張設されたロープを更に引っ張る第２ロック手段７と、を備えるものである。
【００１３】
物干しロープ収納体１０は、外観的には、所定厚みの箱状物であって、箱状物の一部、本例では箱状物の角に開口２５１を設け、この開口２５１から先端にロープ係止部８を有するロープ１１が延出している。図１ではロープ１１が少し出ているが、実際には、ぜんまいバネ４１の弾発力により、ロープ１１は容器内に収納されている。
【００１４】
物干しロープ収納体１０は、風呂場や室内の壁に固定する固定基板１と、固定基板１に固定されると共に、リール４、第１ロック手段６及び第２ロック手段７等を固設するベース板１２と、リール４、第１ロック手段６及び第２ロック手段７及びカバー部材２を有する。
【００１５】
固定基板１は、任意の構成要素であり、本例では、ベース板１２と嵌合する輪郭形状の板状本体部１３に壁面固定用の螺子が通る貫通孔１４と、ベース板１２と係合する係止片１５が設けられている。
【００１６】
ベース板１２は、固定基板１と嵌合する輪郭形状の本体部に、ぜんまいバネ４１の基端４１２を固定する突起１２１、カバー２を固定するボルト孔、ダンパーカバーを固定するボルト孔、第１ロック手段及び第２ロック手段を固定するボルト孔、ロープ１１の移動軌道を安定させる案内ピン１２８等が設けられている。
【００１７】
リール４は、ぜんまいバネ４１を介してベース板１２に固定される。リール４は、内部にぜんまいバネ４１が収納される内部空間を有する円筒体であって、円筒体の外周面には、固定基板１側から順に、歯車部４２、ぜんまいバネ４１の他端４１１が接続される係止部４６を有する円筒部４５及び溝状のロープ収納部４３が形成され、円筒体の天面には、ダンパー本体部５１が収納される凹部４４が形成され、凹部４４内の円筒体の径方向の中央には、突起１２１が嵌る貫通孔４５が形成されている。
【００１８】
ダンパー５は任意の構成要素であり、巻き出されたロープ１１が、第１ロック手段６及び第２ロック手段７が解除され、且つロープ１１の係止等の外力が除かれた状態において、ぜんまいバネ４１の弾発力でロープ１１が勢いよく、巻き戻されることを抑制するものであり、市販のものが使用できる。ダンパー５は、作動油とオリフィスを内蔵するものであり、リール４の天面に形成された凹部４４に嵌め込まれるダンパー本体部５１と、ダンパー本体部５１と嵌合する共に、ベース板１２に固定されるダンパーカバー５２とからなる。すなわち、ダンパーカバー５２は、コ字状側面形状であって、一対の脚部５２１の先端がベース板１２に螺子止めされ、天板５２２の嵌合孔５２３にダンパー本体部５１が嵌合するようになっている。
【００１９】
第１ロック手段６は、リール４のロープ巻き出し方向への回転を停止させるものである。これにより、張設されたロープ１１に洗濯物等の重量物が吊り下げられても、ロープ１１は大きく弛むことはない。第１ロック手段６は、図４に示すように、リール４の歯車部４２に係止する係止片部６１〜６３と、係止片部に作用するハンドル部６４〜６９とからなる。係止片部は、トーションバネ６２が装着された軸支構造であり、鋭角な先端形状を有する係止部６１と、係止部６１とは軸に対して反対側にある突起６３からなる。すなわち、係止片部は、トーションバネ６２の弾発力により、図４に示すような、軸に対して、係止部６１の先端が左向きに、突起６３の延出方向が右向きとなるような、常に非係止状態である。
【００２０】
ハンドル部は、上下方向において離間状態にある２つの軸部６６、６４と、軸部６６、６４間に介在するバネ６７とからなる。下方の軸部６４は、軸を中心に回転する軸支部であり、軸支部の下側に下方に延出するハンドル６５と、２つの軸中心を結ぶ線より左側に位置して且つやや斜め左上方に延びる突起６９と、２つの軸中心を結ぶ線より右側に位置して且つやや斜め右上方に延びるバネ係止用突起６８とを備える。上方の軸部６６は、固定軸部であり、バネ６７の一端を支える。このようなハンドル部は、図４に示す状態が、非係止状態であり、バネ６７の弾発力により、時計回り方向に回転力が作用するものの、ハンドル６５がカバー２に当接しているため、ハンドル６５が下方に延出する状態で安定している。そして、ハンドル６５をバネ６７の弾発力に抗して、反時計回りに回すと、バネ６７の下方端は２つの軸中心を結ぶ線より左側に移動してハンドル６５を反時計回りにカバー部材２に当たるまで９０度回転する。そして、突起６９が係止片部の突起６３に当たり、係止部６１が時計回りに回転してリール４の歯車部４２の歯に係止する。この状態は、バネ６７の付勢力を上回る外力がハンドル６５に作用しない限り、ハンドル６５は回転せず安定である。
【００２１】
第２ロック手段７は、ロープ出口部２５とリール４間に設置されるものであり、張設されたロープ１１に対して直角方向に延びる突起７１１を有する固定側の突起構造体７１と、突起構造体７１の外側に嵌合する可動側の円筒部材７８とからなる。突起７１１は、本例では、円柱部材７１４の径方向に貫通する高さＨ１の貫通孔７１５の径方向における中心に形成され、円柱部材７１４の頂部側にロープ１１が通る開口７１２を有する高さＨ１より低い高さＨ２のものであり、両側には、突起構造体７１と円筒部材７８が嵌合した際、ロープ１１が迂回状に屈曲して通る側方隙間が形成される切り欠き７１３を設けたものである。これにより、突起構造体７１と円筒部材７８が嵌合した際、ロープ１１は、突起７１１の形状に沿って屈曲するため略Ｍ字形状又は略Ｗ字形状となる。すなわち、ロープ１１は、張設方向とは異なる方向に迂回状に屈曲されて固定されることになる。張設方向とは、図６（Ａ）中、符号Ｘで示すような、第２ロック手段内におけるロープ１１が延出する方向を言う。
【００２２】
突起７１１の内部には、底面から途中まで延びる螺子孔７１６が形成されており、突起構造体７１を、ベース板２に螺子止めできるようになっている。突起構造体７１は、突起構造体７１の座部となる突起構造体基部７３の中央部に形成されるものである。突起構造体基部７３の両側には、円形状の凹部７３１が形成されている。円形状の凹部７３１には、バネ部材７２１が装着されたピン７２の先端（ボス）７４が嵌るようになっている。バネ部材が装着されたピン７２は、円筒部材７８の位置決めと円筒部材７８の出入りを安定して案内する機能を奏するものである。
【００２３】
円筒部材７８は、突起構造体７１と協働して、ロープ１１を開放するアンロック（第２ロック手段のアンロック）またはロープ１１をリール４側に所定寸法引き戻すロック（第２ロック手段のロック）を行うものである。円筒部材７８は、突起構造体７１の円柱部７１４の外径より少し大きな内径の貫通孔７６を有する。また、貫通孔７６の内周面には螺子７９が形成されている。
【００２４】
円筒部材７８の嵌合側には、フランジ７５が形成され、フランジ７５にはピン７２の外径より大きく、バネ部材７２１の外径より小さな内径を有する貫通孔７７が形成されている。これにより、円筒部材７８と突起構造体７１は、円筒部材７８の貫通孔７６と略円柱形状の突起構造体７１が、バネ部材７２１のバネ付勢に抗して、互いに嵌合することになる。なお、本例では、円筒部材７８とフランジ７５は別部材であるが、一体化物であってもよい。  
【００２５】
物干しロープ収納体１０は、ケース２からロープ１１の取り出し方向を案内するロープ出口部２５を有している。ロープ出口部２５は、ロープ１１の太さより少し大きな内径を有する斜め下方に延びる貫通孔２５２と、貫通孔２５２の外側に位置するロープ係止部８を収容する凹部２５１を有している。ロープ１１を張設するには、ロープ出口部２５から出たロープ１１を略９０度屈曲させて他の壁面に向かって引き延ばすことになる。
【００２６】
物干しロープ収納体１０は、円筒部材７８を突起構造体７１側に移動させるテンション調節体３１を有している。テンション調節体３１は、円筒部材７８の内周面に形成された螺子７９に螺合する螺子３４が形成された螺子部３１２と、回転操作を容易にする円筒状の操作部３１１とを有する略Ｔ字断面形状のものである。円筒部材７８側の螺子７９と螺子部３１２側の螺子３４との関係は、操作部３１１を時計回りに回転することで、円筒部材７８と突起構造体７１の嵌合が深くなる場合、すなわち、第２ロック手段をロックとする場合、逆ネジであり、操作部３１１を反時計回りに回転することで、円筒部材７８と突起構造体７１の嵌合が深くなる場合、すなわち、第２ロック手段をロックとする場合、正ネジである。
【００２７】
テンション調節体３１は、中心に貫通孔３２１を有する円柱状の調節体補助部材３２と一体となって、螺合安定性を高めている。すなわち、調節体補助部材３２は、テンション調節体３１に螺子止めされる。これにより、テンション調節体３１の螺子部外周面と調節体補助部材３２間には円筒部材７８が通る隙間が形成され、テンション調節体３１の進退移動が安定する。
【００２８】
次に、物干しロープ収納体１０の作用及び使用方法について説明する。物干しロープ収納体１０は、浴室あるいは室内の壁面に固定される。すなわち、固体基板１は、螺子により、浴室あるいは室内の壁面に螺子止めにより固定され、リール４等を備えたベース板１２は、固定基板１に嵌合により固定されている。未使用時の物干しロープ収納体１０は、図４及び図７（Ａ）で示されるものである。但し、図７（Ａ）はロープ１１を未使用時から、Ｌ１だけ巻き出した状態を示す。すなわち、未使用時の物干しロープ収納体１０は、ロープ１１がぜんまいバネ４１の弾発力により、巻き戻され、リール４のロープ収納部４３に収納され、先端のロープ係止部８がロープ出口部２５の凹部２５１に概ね収納される。また、第１ロック手段６及び第２ロック手段７は、アンロック状態である。第１ロック手段６のアンロックは、図４に示すように、ハンドル６５が下方に延出しており、係止部６１は寝た状態で、係止部６１と歯車部４２の歯とは係止していない。また、第２ロック手段７のアンロックは、図７（Ａ）に示すように、円筒部材７８と突起構造体７１が嵌合していない状態あるいは嵌合していても、円筒部材７８の反操作部３１１側の端（先端）がロープ１１が通る開口７１２の手前に位置している状態である。この状態において、操作部３１の螺子３４と円筒部材７８の内周面に形成された螺子７９とは大部分が螺合している。なお、図７（Ａ）のロープのＬ１長さは、簡略記載であり、実際には壁面間の距離であり、長いものである。
【００２９】
次に、リール４のロープ収納部４３に収納されたロープ１１を巻き出し、物干しロープ収納体１０を固定した壁面に対峙する他方の壁面に固定された係止体（不図示）にロープ１１の先端に形成されたロープ係止部８を係止する。これにより、ロープ１１は、ぜんまいバネ４１の弾発力により所定の張力で引っ張られる（図８（Ａ））。このため、ロープ１１は、両壁面にピンと張った状態で張設される。
【００３０】
次いで、第１ロック手段６を作用させる。先ず、図４の状態にあるハンドル６５を、バネ６７の弾発力に抗して、反時計回りに９０度回転させ、ハンドル６５の延出方向が右向き水平方向となるようする。これにより、突起６９が係止片部の突起６３に当たり、係止部６１が時計回りに回転してリール４の歯車部４２の歯に係止する。これにより、リール４の巻き出し方向への回転は停止する。この状態は、バネ６７の付勢力を上回る外力がハンドル６５に作用しない限り、ハンドル６５は回転せずリール４は停止したまま安定である。これにより、洗濯物等を吊り下げる準備が整い、ロープ１１に洗濯物等の重量物が吊り下げられる（図８（Ｂ））。
【００３１】
図８の（Ａ）のように、物干しロープ１１を両壁面２００間にピンと張った状態において、第１ロック手段６を作動させ、重い洗濯物Ａを吊設した場合、実際には、図８（Ｂ）のように、物干しロープ１１は大きい弛みではないが、弛んでしまう。これにより、吊設した洗濯物Ａが中央に寄ってしまうという問題が発生する。これは、リール４は第１ロック手段６により停止しているものの、リール４に巻かれている残存するロープに緩みがあるため、洗濯物の重量により、ロープは僅かながら、巻き出し方向に引き出されるためである。この状態において、第２ロック手段７をロック状態に作動させる。
【００３２】
第２ロック手段７をアンロック状態からロック状態にするには、テンション調節体３１を、円筒部材７８が突起構造体７１側に移動するように回動させる。すなわち、円筒部材７８側の螺子７９と螺子部３１２側の螺子３４が逆ネジの場合、テンション調節体３１を時計回りに回転させる。これにより、円筒部材７８がバネ７２の付勢に抗して突起構造体７１側に移動する。
【００３３】
円筒部材７８が突起構造体７１側に移動すると、突起構造体７１と円筒部材７８が嵌合し、突起構造体７１の開口７１２にピンと張った状態で通されたロープ１１は、張設方向の直角方向に迂回状に屈曲する。この場合、リール４側に巻かれたロープ内における僅かな弛み分が迂回状に屈曲する側に引っ張られると共に、反リール４側におけるほとんどの弛み分が迂回状に屈曲する側に引っ張られる。すなわち、図７（Ａ）の状態から図７（Ｂ）の状態となる場合で、巻き延ばし側の寸法は、（Ｌ１−Ｌ２）分、リール４側に引っ張られる。更に、円筒部材７８を突起構造体７１側に移動させると、ロープ１１は突起７１１の形状に沿って更に屈曲し、突起構造体７１と円筒部材７８の隙間に入り込み、略Ｍ字形状又は略Ｗ字形状に屈曲する。これにより、第２ロック手段７はロック状態となる。ロック状態はテンション調節体３１を回さない限り、維持される。第２ロック手段７のロック状態は、アンロック状態に比べて、（Ｌ１−Ｌ３）分、リール４側に引っ張られたことになる。これにより、ロープ１１を両壁面間にピンと張った状態において、第１ロック手段６を作動させ、重い洗濯物Ａを吊設した場合等に生じる僅かな弛みを、ピンと張ったロープ状態に矯正できる（図８（Ｃ））。
【００３４】
次に、物干しロープ収納体１０を使用状態から不使用状態とする操作の一例について説明する。先ず、洗濯物Ａ類を取り込む。次いで、第２ロック手段７のロックを解除する。すなわち、第２ロック手段７のロックの解除手順は、ロック手順の逆手順で行なえばよい。先ず、テンション調節体３１を、円筒部材７８が反突起構造体７１側に移動するように回動させる。すなわち、円筒部材７８側の螺子７９と螺子部３１２側の螺子３４が逆ネジの場合、テンション調節体３１を反時計回りに回転させる。これにより、円筒部材７８が除々に且つバネ７２の付勢により安定して突起構造体７１側に移動する。
【００３５】
円筒部材７８が反突起構造体７１側に移動すると、突起構造体７１と円筒部材７８の嵌合が除々に外れ、遂には、略Ｍ字形状又は略Ｗ字形状に屈曲したロープ１１は、突起構造体７１の開口７１２を通ってピンと張った状態となる。次いで、第１ロック手段６のロックを解除する。先ず、右向き水平方向となっているハンドル６５を、バネ６７の弾発力に抗して、時計回りに概ね８０度回転させ、ハンドル６５が下向き鉛直方向となるようする。これにより、係止片部の突起６３と突起６９の係止が外れる。これにより、トーションバネ６１１の作用により、係止部６１が反時計回りに回転してリール４の歯車部４２の歯との係止が解除される。次いで、ロープ１１の先端のロープ係止部８と壁面に形成された係止体との係止状態を解除すると、ロープ１１は、ぜんまいバネ４１のバネ付勢により、リール４に巻き戻される。この際、ダンパー５が作用し、巻き戻し力を弱めるため、ロープ１１は概ねゆっくりとリール４に巻き戻される。なお、第１ロック手段６がロック状態であっても、リール４が巻き戻し方向に回転する際、リール４の歯車部４２の歯と係止部６１の歯とは噛み合わない形状となっているため、張設されたロープ１１をリールに巻き戻すことは可能である。
【００３６】
本発明の物干しロープ収納体１０は、上記実施の形態例に限定されず、種々の変形例を採ることができる。第２ロック手段において、突起構造体は、上記形態のように、円筒部材中に開口が形成されたもの以外に、例えば、単なる棒状の突起であってもよい。棒状の突起と円筒部材間にロープを介在させれば、棒状の突起と円筒部材の嵌合により、張設方向とは異なる方向に迂回状にロープを屈曲させることができる。本発明において、張設方向とは異なる方向は、上記張設方向と直角方向に限定されず、張設方向に対してあらゆる角度の方向であってもよい。ロープを迂回状に屈曲させることができるからである。
【００３７】
第２ロック手段において、突起構造体と円筒部材の嵌合を安定にするバネ部材７２１が装着されたピン７２はなくてもよい。ピン７２がなくともロープを迂回状に屈曲させることができる。第２ロック手段において、円筒部材７８と一体的に作用するフランジ７５はなくともよい。ピン７２がなくともロープを迂回状に屈曲させることができる。第２ロック手段において、押し込み部材は、円筒部材７８に限定されず、ロープ１１を屈曲できるピン部材であってもよい。この場合、ピンはロープ１１の一点を押し込むことになる。また、この場合、ピンの先端は平板とすることが、ロープを安定して押し込むことができる。また、第２ロック手段において、円筒部材の押し込みは、螺子の締め込み以外に、例えば、単に押し込む方法であってもよい。
【符号の説明】
【００３８】
１    固定基板
２    カバー
４    リール
５    ダンパー
６    第１ロック手段
７    第２ロック手段
８    ロープ係止部
１０    物干しロープ収納体
１１    ロープ
１２    ベース板
４１    ぜんまいバネ
４３    ロープ収納部
５１    ダンパー本体部
５２    ダンパーカバー
【図１】
0005682923.tif 000002
【図２】
0005682923.tif 000003
【図３】
0005682923.tif 000004
【図４】
0005682923.tif 000005
【図５】
0005682923.tif 000006
【図６】
0005682923.tif 000007
【図７】
0005682923.tif 000008
【図８】
0005682923.tif 000009